(57)【要約】【課題】正確度が低い経路の提示を抑制することができるナビゲーション装置を提供すること。【解決手段】ナビゲーション装置は、音声情報を入力するマイクロホン７と、音声情報に対して音声認識処理を行って走行経路の特定に用いられる経路生成情報を抽出する音声認識部３０と、抽出された経路生成情報に基づいて走行経路を特定する経路特定部３２と、特定された走行経路に含まれる複数の区間について正確度の高低を判定する正確度判定部３４と、走行経路の中で、正確度判定部３４によって正確度が高いと判定された第１の区間を表示対象区間に設定する表示区間設定部３３と、表示対象区間を周辺の地図画像とともに表示する表示区間描画部３５、表示処理部６０、表示装置６とを備えている。【選択図】図１
2020183895.tif 000002
【特許請求の範囲】
【請求項１】
音声情報を入力する音声入力手段と、
前記音声情報に対して音声認識処理を行って、前記音声情報から所定の移動経路の特定に用いられる経路生成情報を抽出する音声認識手段と、
前記音声認識手段によって抽出された前記経路生成情報に基づいて前記移動経路を特定する移動経路特定手段と、
前記移動経路特定手段によって特定された前記移動経路に含まれる複数の区間について正確度の高低を判定する正確度判定手段と、
前記移動経路の中で、前記正確度判定手段によって正確度が高いと判定された第１の区間を表示対象区間に設定する表示区間設定手段と、
前記表示区間設定手段によって特定された前記表示対象区間を周辺の地図画像とともに表示する地図表示手段と、
を備えることを特徴とするナビゲーション装置。
【請求項２】
前記表示区間設定手段は、前記第１の区間と、この第１の区間と連続するとともにこの第１の区間よりも正確度が低い第２の区間とを含む前記表示対象区間を設定することを特徴とする請求項１に記載のナビゲーション装置。
【請求項３】
前記第１の区間は、現在位置から次の分岐までの区間であることを特徴とする請求項２に記載のナビゲーション装置。
【請求項４】
前記地図表示手段は、前記第１の区間と前記第２の区間を異なる表示態様で表示することを特徴とする請求項２または３に記載のナビゲーション装置。
【請求項５】
前記移動経路特定手段は、道路および周辺施設に関する情報が含まれる地図データに基づいて、前記経路生成情報に対応する前記移動経路を特定することを特徴とする請求項２〜４のいずれか一項に記載のナビゲーション装置。
【請求項６】
移動方向前方を撮像するカメラと、
前記カメラの撮像によって得られた画像の中から前記経路生成情報に対応する部分画像の有無を識別する画像認識手段と、
をさらに備え、前記移動経路特定手段は、前記画像認識手段の識別結果に基づいて、前記経路生成情報に対応する前記移動経路を特定することを特徴とする請求項２〜５のいずれか一項に記載のナビゲーション装置。
【請求項７】
現在位置が前記移動経路に沿って移動するにしたがって、前記移動経路特定手段、前記正確度判定手段、前記表示区間設定手段および前記地図表示手段による各動作が、繰り返し実施されることを特徴とする請求項２〜６のいずれか一項に記載のナビゲーション装置。
【請求項８】
現在位置が前記第２の区間に進入した後に、この第２の区間の正誤判定を行う正誤判定手段をさらに備え、
前記移動経路特定手段は、前記正誤判定手段によって前記第２の区間が誤っている旨の判定がなされたときに、前記第１の区間と連続する新しい第２の区間と、現在位置からこの新しい第２の区間に至る復帰経路とを特定し、
前記表示区間設定手段は、前記新しい第２の区間と前記復帰経路とが含まれる前記表示対象区間を設定することを特徴とする請求項２〜７のいずれか一項に記載のナビゲーション装置。
【発明の詳細な説明】
【技術分野】
【０００１】
本発明は、車両の走行経路を案内するナビゲーション装置に関する。
【背景技術】
【０００２】
従来から、人間の発する言葉である経路説明情報に含まれる経路関連語どうしの関連関係を解析し、実際の地図データ上の道路の配置と照合することで、目的地のおおよその地図データ上の位置を推定し、推定した目的地と経路を提示するようにしたナビゲーション装置が知られている（例えば、特許文献１参照。）。
【先行技術文献】
【特許文献】
【０００３】
【特許文献１】特開２０１０−１４５２６２号公報
【発明の概要】
【発明が解決しようとする課題】
【０００４】
ところで、上述した特許文献１に開示されたナビゲーション装置では、目的地までの経路に示す経路説明情報に含まれる経路関連語を、所定の場所を表す場所語と、距離を表す距離語と、方向を表す方向語の３つに分類しているが、特にこの中で距離語としての「ちょっと」、「もうすぐ」、「しばらく」、「ずっと」などの表現から距離を推定しているため、提示する目的地と経路の正確度が低いという問題があった。特に、「ちょっと」等の表現は、その用語を使用する利用者ごとに使い方があいまいであり、距離を対応させることは難しい。例えば、特許文献１では「しばらく」が４．０〜７．０ｋｍ、「ずっと」が１０．０〜２０．０ｋｍとしているが、この範囲の距離を意識してこれらの用語を使っている利用者はまれであるといえる。このようなあいまいな表現や、不正確な場所の指定などが目的地までの経路上に複数含まれる場合には、目的地までの正確な走行経路を設定することはほとんど困難になる。
【０００５】
本発明は、このような点に鑑みて創作されたものであり、その目的は、正確度が低い経路の提示を抑制することができるナビゲーション装置を提供することにある。
【課題を解決するための手段】
【０００６】
上述した課題を解決するために、本発明のナビゲーション装置は、音声情報を入力する音声入力手段と、音声情報に対して音声認識処理を行って、音声情報から所定の移動経路の特定に用いられる経路生成情報を抽出する音声認識手段と、音声認識手段によって抽出された経路生成情報に基づいて移動経路を特定する移動経路特定手段と、移動経路特定手段によって特定された移動経路に含まれる複数の区間について正確度の高低を判定する正確度判定手段と、移動経路の中で、正確度判定手段によって正確度が高いと判定された第１の区間を表示対象区間に設定する表示区間設定手段と、表示区間設定手段によって特定された表示対象区間を周辺の地図画像とともに表示する地図表示手段とを備えている。
【０００７】
音声情報に対して音声認識処理を行って特定された移動経路について、移動経路に含まれる各区間について正確度を判定することで正確度が高い区間を抽出することができ、正確度が低い移動経路を表示（提示）することを抑制することができる。
【０００８】
また、上述した表示区間設定手段は、第１の区間と、この第１の区間と連続するとともにこの第１の区間よりも正確度が低い第２の区間とを含む表示対象区間を設定することが望ましい。特に、上述した第１の区間は、現在位置から次の分岐までの区間であることが望ましい。これにより、正確度が高い移動経路に沿った移動を案内することが可能となる。
【０００９】
また、上述した地図表示手段は、第１の区間と第２の区間を異なる表示態様で表示することが望ましい。これにより、その時点で判明している正確度の高低を利用者が把握することができる。
【００１０】
また、上述した移動経路特定手段は、道路および周辺施設に関する情報が含まれる地図データに基づいて、経路生成情報に対応する移動経路を特定することが望ましい。これにより、交差点や信号機、周辺施設などを目印とした音声情報を指示するだけで移動経路を設定することが可能となる。
【００１１】
また、移動方向前方を撮像するカメラと、カメラの撮像によって得られた画像の中から経路生成情報に対応する部分画像の有無を識別する画像認識手段とをさらに備え、移動経路特定手段は、画像認識手段の識別結果に基づいて、経路生成情報に対応する移動経路を特定することが望ましい。これにより、道路周辺の地図データに含まれない特徴が含まれる音声情報を指示した場合であっても移動経路を設定することが可能となる。
【００１２】
また、現在位置が移動経路に沿って移動するにしたがって、移動経路特定手段、正確度判定手段、表示区間設定手段および地図表示手段による各動作が、繰り返し実施されることが望ましい。これにより、現在位置の移動に伴って、周辺の実状に合わせて移動経路の設定内容を変更することが可能となる。
【００１３】
また、現在位置が第２の区間に進入した後に、この第２の区間の正誤判定を行う正誤判定手段をさらに備え、移動経路特定手段は、正誤判定手段によって第２の区間が誤っている旨の判定がなされたときに、第１の区間と連続する新しい第２の区間と、現在位置からこの新しい第２の区間に至る復帰経路とを特定し、表示区間設定手段は、新しい第２の区間と復帰経路とが含まれる表示対象区間を設定することが望ましい。これにより、音声情報の入力内容の不正確さ等に起因して誤った移動経路を設定した場合であっても、最初の地点に戻ることなく途中から別の経路に誘導することが可能となる。
【図面の簡単な説明】
【００１４】
【図１】一実施形態のナビゲーション装置の構成を示す図である。
【図２】音声で指示された車両の走行経路を特定して表示する動作手順を示す流れ図である。
【図３】音声で指示された車両の走行経路を表示した後に目的地に到達するまでの走行経路の表示の具体例を示す図である。
【図４】音声で指示された車両の走行経路を表示した後に目的地に到達するまでの走行経路の表示の具体例を示す図である。
【図５】音声で指示された車両の走行経路を表示した後に目的地に到達するまでの走行経路の表示の具体例を示す図である。
【図６】「３つ目の交差点」の位置を誤判定する具体例を示す図である。
【図７】「コンビニの看板」を誤判定する具体例を示す図である。
【図８】「白い建物」を誤判定する具体例を示す図である。
【発明を実施するための形態】
【００１５】
以下、本発明を適用した一実施形態のナビゲーション装置について、図面を参照しながら説明する。
【００１６】
図１は、一実施形態のナビゲーション装置の構成を示す図である。図１に示すナビゲーション装置は、ナビゲーションコントローラ１、地図データ記憶装置３、操作部４、車両位置検出部５、表示装置６、マイクロホン７、カメラ８を含んで構成されている。このナビゲーション装置は、車両に搭載されている。
【００１７】
ナビゲーションコントローラ１は、ＣＰＵ、ＲＯＭ、ＲＡＭ等を用いて所定の動作プログラムを実行することにより、自車位置周辺の地図画像表示動作や入力音声に基づいた走行経路の特定や表示に関する動作などの各種機能を実現する。ナビゲーションコントローラ１の詳細構成については後述する。
【００１８】
地図データ記憶装置３は、地図表示や走行経路の特定などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。また、地図データ記憶装置３を通信装置に置き換えて、外部の地図配信サーバ（図示せず）から地図データを取得するようにしてもよい。
【００１９】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。
【００２０】
車両位置検出部５は、例えば、ＧＰＳ受信機、方位センサ、距離センサなどを備えており、所定のタイミングで車両位置（経度、緯度）の検出を行い、検出結果を出力する。
【００２１】
表示装置６は、例えばＬＣＤ（液晶表示装置）によって構成されており、ナビゲーションコントローラ１から出力される映像信号に基づいて自車位置周辺の地図画像や、特定した移動経路などを表示する。
【００２２】
マイクロホン７は、音声入力に際して利用者の音声を集音するためのものである。例えば、車室内の所定位置にマイクロホン７が設置されており、利用者（自車両の搭乗者）が発する音声を集音することにより、マイクロホン７を用いた音声情報の入力が行われる。
【００２３】
カメラ８は、自車両の進行方向前方を撮像する。専用のカメラを備える場合の他、ドライブレコーダのカメラを用いるようにしてもよい。
【００２４】
次に、ナビゲーションコントローラ１の詳細構成について説明する。図１に示すナビゲーションコントローラ１は、地図バッファ１０、地図読出制御部１２、地図描画部１４、車両位置計算部２０、音声認識部３０、画像認識部３１、経路特定部３２、表示区間設定部３３、正確度判定部３４、表示区間描画部３５、正誤判定部３６、入力処理部５０、表示処理部６０を含んで構成されている。
【００２５】
地図バッファ１０は、地図データ記憶装置３から読み出された地図データを一時的に格納する。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。
【００２６】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２７】
音声認識部３０は、マイクロホン７を用いて入力された音声情報に対して音声認識処理を行って、この音声情報から自車両の走行経路の特定に用いられる経路生成情報を抽出する。
【００２８】
画像認識部３１は、カメラ８の撮像によって得られた画像の中から経路生成情報に対応する部分画像の有無を識別し、部分画像が存在する場合にはその内容を判別する画像認識処理を行う。
【００２９】
経路特定部３２は、音声認識部３０によって抽出された経路生成情報に基づいて、入力された音声情報に対応する走行経路を特定する。走行経路の特定は、走行開始前は経路生成情報を地図データと比較することにより行われ、走行開始後は経路生成情報を地図データと画像認識部３１による画像認識結果の両方と比較することにより行われる。
【００３０】
正確度判定部３４は、経路特定部３２によって特定された走行経路に含まれる複数の区間について正確度の高低を判定する。例えば、走行経路を分岐位置で複数の区間に分割したときに、この正確度判定は、各区間に経路生成情報で示される特徴が含まれるか否かを地図データや画像認識部３１による認識結果に基づいて判定することにより行われる。具体的には、音声情報で示された経路生成情報で示される特徴が含まれる区間については正確度が高く、この区間に続く次の区間について経路生成情報で示される特徴が含まれるか否かがその時点で確認できない場合にはこの区間については正確度が低くなる。
【００３１】
表示区間設定部３３は、経路特定部３２によって特定された走行経路の中で、正確度判定部３４によって正確度が高いと判定された第１の区間と、この第１の区間と連続するとともにこの第１の区間よりも正確度が低い第２の区間とを含む表示対象区間を設定する。
【００３２】
表示区間描画部３５は、表示区間設定部３３によって特定された表示対象区間を示す表示対象区間画像を描画する。
【００３３】
正誤判定部３６は、現在位置（車両の自車位置）が第２の区間に進入した後に、この第２の区間の正誤判定を行う。
【００３４】
入力処理部５０は、操作部４から入力される各種の操作指示に対応する動作を行うための命令をナビゲーションコントローラ１内の各部に向けて出力する。
【００３５】
表示処理部６０は、地図描画部１４によって作成される地図画像描画データが入力されており、この描画データに基づいて所定範囲の地図画像を表示装置６の画面に表示する。また、表示区間描画部３５によって作成された表示対象区間画像を示す描画データが入力されると、この表示対象区間画像を地図画像に重ねて表示装置６の画面に表示する。
【００３６】
上述したマイクロホン７が音声入力手段に、音声認識部３０が音声認識手段に、経路特定部３２が移動経路特定手段に、正確度判定部３４が正確度判定手段に、表示区間設定部３３が表示区間設定手段に、地図描画部１４、表示区間描画部３５、表示処理部６０、表示装置６が地図表示手段に、画像認識部３１が画像認識手段に、正誤判定部３６が正誤判定手段にそれぞれ対応する。
【００３７】
本実施形態のナビゲーション装置はこのような構成を有しており、次に、その動作を説明する。
【００３８】
図２は、音声で指示された車両の走行経路を特定して表示する動作手順を示す流れ図である。例えば、走行開始前に音声で指示された走行経路を表示し、この走行経路にしたがって走行を開始する場合の動作手順が示されている。例えば、助手席や後部座席の搭乗者が音声で走行経路を指示し、この指示に応じて表示された走行経路に沿って運転者が自車両を運転する場合などが考えられる。
【００３９】
音声認識部３０は、音声入力の開始が指示されたか否かを判定する（ステップ１００）。例えば、操作部４を用いて走行経路の音声入力の開始を指示することができ、この指示がなされたか否かが判定される。指示がない場合には否定判断が行われ、この判定が繰り返される。また、音声入力の開始が指示された場合にはステップ１００の判定において肯定判断が行われる。次に、音声認識部３０によって、マイクロホン７で集音した音声情報を取り込むことにより、音声情報の入力が行われる（ステップ１０２）。また、音声認識部３０は、この入力された音声情報に対して音声認識処理を行い、経路生成情報を抽出する（ステップ１０４）。
【００４０】
例えば、「３つ目の交差点を右折、コンビニの看板が見えたら次の信号を左折、まっすぐ進むと左側に白い建物がある」という音声情報が入力された場合を考えると、「３つ目の交差点を右折」、「コンビニの看板が見えたら」、「次の信号を左折」、「まっすぐ進む」、「左側に白い建物」が経路生成情報として抽出される。
【００４１】
次に、経路特定部３２は、抽出された経路生成情報に基づいて、入力された音声情報に対応する走行経路を特定する（ステップ１０６）。上述した例では、現在位置から「３つ目の交差点」までを第１の区間とし、「３つ目の交差点を右折」した後を第２の区間として特定する。なお、この第２の区間は、「コンビニの看板が見えてから次の信号」まで続くが、現在位置においては「コンビニの看板」が見えないため、この時点では第２の区間全体や、第２の区間に続く第３の区間などを特定することはできない。したがって、経路特定部３２は、走行経路として、第１の区間と、第２の区間（の一部）を特定する。
【００４２】
次に、正確度判定部３４は、経路特定部３２によって特定された走行経路に含まれる複数の区間（上述した例では、第１の区間と第２の区間）について正確度の高低を判定する（ステップ１０８）。上述した例では、現在位置から「３つ目の交差点」までの第１の区間は、正確度は高いといえる。これに対し、「３つ目の交差点を右折」した後の第２の区間は、現在位置においては「コンビニの看板」が見えないため、この第２の区間が正しいか否かは確認できず、第１の区間よりも正確度は低いといえる。
【００４３】
次に、表示区間設定部３３は、特定された走行経路の中から表示対象区間を設定する（ステップ１１０）。上述した例では、走行経路として、正確度の高い第１の区間と、第１の区間よりは正確度が低い第２の区間とが特定されており、これら第１の区間と第２の区間とが表示対象区間として設定される。
【００４４】
次に、表示区間描画部３５は、設定された表示対象区間の道路を、周囲の地図画像から識別可能な表示態様（例えば、目立つ色）となるように描画する。また、表示処理部６０は、この描画によって生成された表示対象区間画像の描画データが入力されると、周辺の地図画像にこの表示対象区間画像を重ねて、表示装置６の画面に表示する（ステップ１１２）。
【００４５】
その後、経路特定部３２は、自車両が走行を開始したか否かを、車両位置計算部２０によって計算された自車位置に基づいて判定する（ステップ１１４）。走行を開始するまで否定判断が行われ、この判定が繰り返される。また、自車両が走行を開始するとステップ１１４の判定において肯定判断が行われる。
【００４６】
次に、カメラ８で自車両の前方が撮像され（ステップ１１６）、画像認識部３１は、撮像された画像の中から経路生成情報に対応する部分画像を抽出し、その内容を判別する画像認識処理を行う（ステップ１１８）。
【００４７】
次に、経路特定部３２は、目的地に到着したか否かを判定する（ステップ１２０）。上述した例「３つ目の交差点を右折、コンビニの看板が見えたら次の信号を左折、まっすぐ進むと左側に白い建物がある」の場合には、最後の「白い建物」が目的地であり、この目的地に到着していない場合には否定判断が行われ、ステップ１０６に戻って走行経路特定動作以降が繰り返される。目的地に到着した場合にはステップ１２０の判定において肯定判断が行われ、一連の動作が終了する。
【００４８】
図３〜図５は、音声で指示された車両の走行経路を表示した後に目的地に到達するまでの走行経路の表示の具体例を示す図である。上述した入力音声「３つ目の交差点を右折、コンビニの看板が見えたら次の信号を左折、まっすぐ進むと左側に白い建物がある」に対応する表示例が示されている。また、実際の表示では、表示画面内における自車位置が固定されて周辺の地図画像が自車位置の進行に伴ってスクロールされるが、車両の走行位置と表示対象となる走行経路との関係をわかりやすくするために、地図画像をスクロールせずに自車位置（自車位置マークＧ）を移動させている。
【００４９】
図３（Ａ）は、音声入力を行う利用者（発話者）が意図している現在の自車位置から目的地である「白い建物」までの走行経路を示している。
【００５０】
音声「３つ目の交差点を右折、コンビニの看板が見えたら次の信号を左折、まっすぐ進むと左側に白い建物がある」が入力されると、現在位置から「３つ目の交差点」までを第１の区間Ｒ１とし、「３つ目の交差点を右折」した後を第２の区間Ｒ２とした走行経路が特定され、これらを表示対象区間とした描画が行われ、周辺の地図画像とともに表示される（図３（Ｂ））。
【００５１】
運転者は、表示された走行経路に沿って自車両の走行位置を進めていき、表示された走行経路に沿って３つ目の交差点Ｃ１を右折する。右折後に自車両の走行中の道路が新たな第１の区間Ｒ１となるが、右折直後では、次の経路生成情報としての「コンビニの看板」が見えていないため、この新たな第１の区間Ｒ１につながる第２の区間Ｒ２は表示されない（図４（Ａ））。
【００５２】
その後、運転者は、表示された移動経路に沿って自車両の走行位置を進めていくと、左にコンビニエンスストアの看板Ｆ１が見えてくる。この看板Ｆ１が見えてきたことは、画像認識部３１による画像認識処理によって確認することができる。看板Ｆ１が見えた時点で、次の信号Ｓ１を左折した第２の区間Ｒ２が特定され、この信号Ｓ１に至るまでの第１の区間とこの第２の区間を表示対象区間とした描画が行われ、周辺の地図画像とともに表示される（図４（Ｂ））。
【００５３】
運転者は、表示された走行経路に沿って自車両の走行位置を進めていき、表示された走行経路に沿ってコンビニ看板の次の信号Ｓ１を左折する。左折後に自車両の走行中の道路が新たな第１の区間Ｒ１となる（図５（Ａ））。
【００５４】
その後、運転者は、表示された移動経路に沿って自車両の走行位置を進めていくと、左に白い建物Ｗ１が見えてくる。この白い建物Ｗ１が今回の目的地であり、この白い建物Ｗ１の位置に目的地マークＰが表示されるとともに、第１の経路Ｒ１がこの目的地マークＰまで延長される（図５（Ｂ））。このように表示される走行経路に沿って運転者は目的地としての「白い建物」まで走行することができる。
【００５５】
このように、本実施形態のナビゲーション装置では、音声情報に対して音声認識処理を行って特定された走行経路について、走行経路に含まれる各区間について正確度を判定することで正確度が高い区間を抽出することができ、正確度が低い移動経路を表示することを抑制することができる（図５（Ｂ））。
【００５６】
また、正確度が高い第１の区間と、この第１の区間と連続するとともにこの第１の区間よりも正確度が低い第２の区間とを含む表示対象区間を設定している。特に、第１の区間は、現在位置から次の分岐までの区間としている。これにより、正確度が高い走行経路に沿って自車両の走行を案内することが可能となる。
【００５７】
また、道路および周辺施設に関する情報が含まれる地図データに基づいて、音声情報から抽出された経路生成情報に対応する移動経路を特定しており、交差点や信号機、周辺施設などを目印とした音声情報を指示するだけで移動経路を設定することが可能となる。
【００５８】
また、カメラによって撮像された画像に対して画像認識を行った結果を用いて、音声情報から抽出された経路生成情報に対応する移動経路を特定しており、道路周辺の地図データに含まれない特徴が含まれる音声情報を指示した場合であっても移動経路を設定することが可能となる。
【００５９】
また、現在位置（自車位置）が走行経路に沿って移動するにしたがって、移動経路特定、正確度判定、表示対象区間設定・描画・表示の各動作が、繰り返し実施されるため、現在位置の移動に伴って、周辺の実状に合わせて移動経路の設定内容を変更することが可能となる。
【００６０】
なお、本発明は上記実施形態に限定されるものではなく、本発明の要旨の範囲内において種々の変形実施が可能である。例えば、表示対象区間に含まれる第１の区間と第２の区間のそれぞれを互いに異なる表示態様で表示するようにしてもよい。例えば、色、形状（例えば、第１の区間を実線、第２の区間を破線）、輝度、点灯／点滅などの状態を異ならせるようにしてもよい。これにより、その時点で判明している正確度の高低を利用者が把握することが容易となる。
【００６１】
また、上述した実施形態では、音声情報に含まれる各経路生成情報が正しく抽出された場合について説明したが、実際には、これらの抽出内容が正しいとは限らない。例えば、上述した入力音声「３つ目の交差点を右折、コンビニの看板が見えたら次の信号を左折、まっすぐ進むと左側に白い建物がある」について考えると、「３つ目の交差点」、「コンビニの看板」、「白い建物」を誤判定する場合が考えられる。
【００６２】
図６は、「３つ目の交差点」の位置を誤判定する具体例を示す図である。音声入力を行った発話者が十字路のみを交差点としてカウントしている場合には、発話者が意図している「３つ目の交差点」はＣ１４となる。しかし、経路特定部３２が十字路だけでなく丁字路も含めて交差点としてカウントしている場合には、走行経路を設定する際の「３つ目の交差点」はＣ１３となる。したがって、交差点Ｃ１３で右折する走行経路を設定して表示対象区間画像を描画、表示した場合には、発話者の意図に対して誤った走行案内を行うことになる。
【００６３】
図７は、「コンビニの看板」を誤判定する具体例を示す図である。図７にはカメラ８で撮像された画像が示されており、この画像内にコンビニエンスストアの３つの看板Ｆ１１、Ｆ１２、Ｆ１３が含まれているものとする。音声情報には、コンビニの看板について特別な指定はないため、最初に現れる看板Ｆ１１を、音声情報に含まれる「コンビニの看板」と判断する。しかし実際には、発話者が２番目の看板Ｆ１２や３番目の看板Ｆ１３を念頭に置いて上記の音声を発したのであれば、「次の信号」の位置を誤って判定してしまうおそれがある。
【００６４】
図８は、「白い建物」を誤判定する具体例を示す図である。図８にはカメラ８で撮像された画像が示されており、この画像内に左側に２つの白い建物Ｗ１１、Ｗ１２が含まれているものとする。音声情報には、白い建物について特別な指定はないため、左折後にまっすぐ進んで最初に現れる左側の白い建物Ｗ１１を、音声情報に含まれる「白い建物」と判断する。しかし実際には、発話者が２番目の白い建物Ｗ１２を念頭に置いて上記の音声を発したのであれば、目的地の位置を誤って判定してしまうおそれがある。
【００６５】
このような誤判定の可能性を考慮して、上述したナビゲーション装置には正誤判定部３６が備わっている。正誤判定部３６は、自車位置が、走行中の第１の区間Ｒ１から第２の区間Ｒ２に進入した後に、この第２の区間Ｒ２が正しかったか否かを判定しており、経路特定部３２は、第２の区間Ｒ２が誤っている旨の判定がなされたときに、新しい第２の区間Ｒ２’と、その時点における自車位置からこの新しい第２の区間Ｒ２’に至る復帰経路（例えば経路探索処理を行ってコスト最小の復帰経路が決定される）とを設定する。そして、これら新しい第２の区間Ｒ２’と復帰経路とが含まれる表示対象区間が表示区間設定部３３によって設定され、復帰経路が含まれる表示対象区間画像が地図画像上に表示される。
【００６６】
図６に示す例では、交差点Ｃ１３で右折して進入した第２の経路Ｒ２が誤りであった場合に、次の候補としての第２の経路Ｒ２’が設定されるとともに、この第２の経路Ｒ２’に復帰するための復帰経路Ｂが設定される。例えば、発話者がカウントの対象としている交差点が十字路のみであることを想定して、３つ目の交差点Ｃ１４を特定し、この交差点Ｃ１４で右折して進入する第２の経路Ｒ２’や復帰経路Ｂが設定される。誤った第２の経路Ｒ２に沿って自車両を運転中の運転者は、表示された復帰経路Ｂに沿って自車両を運転して、正しい第２の区間Ｒ２’に車両を進めることができる。図７に示す看板の誤検出についても同様であり、最初に現れる看板Ｆ１１に基づいて次の信号で左折した後の走行経路（第２の区間Ｒ２）が誤りであった場合には、次の看板Ｆ１２に基づいて次の信号で左折した後の新たな走行経路（第２の区間Ｒ２’）と復帰経路とを設定すればよい。
【００６７】
ところで、これらの新たな第２の経路Ｒ２’は、最初に進入した第２の区間Ｒ２が誤りであることがわかった後に設定してもよいが、この第２の区間Ｒ２に進入する前であって第１の区間Ｒ１を走行中に予め用意しておくことが望ましい。例えば、図６に示す例では、自車両が最初の右折候補である交差点Ｃ１３に至る前に、他の右折候補である交差点Ｃ１４を抽出しておくことが望ましい。他の右折候補は、２つ以上であってもよい。
【００６８】
このように、音声情報の入力内容の不正確さ等に起因して誤った走行経路を設定した場合であっても、最初の地点に戻ることなく途中から別の経路に誘導することが可能となる。なお、最初に進入した第２の区間Ｒ２が誤りであることは、その後の経路生成情報の有無（例えば、図６に示す第２の区間Ｒ２に進入した後にコンビニの看板が見つからない場合など）に応じて自動判定することもできるが、最も簡単には、走行中の道路が音声で指示された道路とは異なることを認識した運転者や他の搭乗者が操作部４を操作し、この操作内容に応じて判定するようにしてもよい。
【００６９】
また、上述した実施形態では、車両に搭載されたナビゲーション装置に本発明を適用したが、スマートホン等の携帯端末装置に本発明を適用してもよい。例えば、スマートホンの所有者が周囲の人に道を尋ね、スマートホンの画面上に目的地までの移動経路を表示させ、この移動経路に沿って歩く場合などが考えられる。
【００７０】
また、上述した実施形態では、カメラ８で撮像された画像に対して画像認識を行うようにしたが、地図データに含まれる特徴のみが含まれるように音声情報を入力する場合も考えられる。この場合には、カメラ８と画像認識部３１は省略するようにしてもよい。
【産業上の利用可能性】
【００７１】
上述したように、本発明によれば、音声情報に対して音声認識処理を行って特定された移動経路について、移動経路に含まれる各区間について正確度を判定することで正確度が高い区間を抽出することができ、正確度が低い移動経路を表示（提示）することを抑制することができる。
【符号の説明】
【００７２】
１  ナビゲーションコントローラ
３  地図データ記憶装置
４  操作部
５  車両位置検出部
６  表示装置
７  マイクロホン
８  カメラ
１０  地図バッファ
１２  地図読出制御部
１４  地図描画部
２０  車両位置計算部
３０  音声認識部
３１  画像認識部
３２  経路特定部
３３  表示区間設定部
３４  正確度判定部
３５  表示区間描画部
３６  正誤判定部
５０  入力処理部
６０  表示処理部
【図１】
2020183895.tif 000003
【図２】
2020183895.tif 000004
【図３】
2020183895.tif 000005
【図４】
2020183895.tif 000006
【図５】
2020183895.tif 000007
【図６】
2020183895.tif 000008
【図７】
2020183895.tif 000009
【図８】
2020183895.tif 000010